(57)【要約】      （修正有）【課題】部材の寸法が小さく一人でも組み立てが容易で比較的大型に形成可能な組立式の収納棚を提供する。【解決手段】複数の縦板１０１及び複数の横板１０２を備え、第１部１１０及び第１部に組み合わせる第２部１２０を有する収納棚１００であって、第１部を構成する複数の縦板の夫々と第２部を構成する複数の縦板の夫々とは、複数の横板のうちの１つである１枚の接続板１３０及び接続板に設けられた穴に挿通される接続部材１３１を介して連結される。【選択図】図２
0003226130.tif 000002
【実用新案登録請求の範囲】
【請求項１】
複数の縦板及び複数の横板を備え、第１部及び前記第１部に組み合わせる第２部を有する収納棚であって、
前記第１部を構成する複数の縦板の夫々と前記第２部を構成する複数の縦板の夫々とは、前記複数の横板のうちの１つである１枚の接続板及び該接続板に設けられた穴に挿通される接続部材を介して連結されている、収納棚。
【請求項２】
前記穴は前記接続板を貫通しており、前記穴に挿通される前記接続部材の一方の端部は前記第１部を構成する前記縦板と接続し、前記接続部材の他方の端部は前記第２部を構成する前記縦板と接続している、請求項１に記載の収納棚。
【請求項３】
前記第２部は、前記接続板に取り付けられる背板を備えている、請求項１又は２に記載の収納棚。
【請求項４】
前記収納棚の高さが１８００ｍｍ以上であって、前記複数の縦板の夫々における前記高さの方向に対応する長さが１８００ｍｍ未満であり、かつ、前記複数の縦板の夫々における長さ、幅、及び厚さの合計は２６００ｍｍ未満である、請求項１〜３のいずれか１項に記載の収納棚。
【考案の詳細な説明】
【技術分野】
【０００１】
本考案は、収納棚に関する。詳しくは組立式の収納棚であって比較的小型の部材から組み立てることが可能な収納棚に関する。
【背景技術】
【０００２】
横並びに並設された縦板と横板との組み合わせで構成される収納装置として、特許文献１に開示されているような収納装置が知られている。この収納装置を構成する、横並びに並設された縦板の夫々は１枚の板状体によって形成されている。
【先行技術文献】
【特許文献】
【０００３】
【特許文献１】特開２０１３−１８３９２２号公報
【考案の概要】
【考案が解決しようとする課題】
【０００４】
特許文献１に開示されている縦板が単体の板状体で構成されている収納装置では、収納装置が大型のものである場合に、夫々の部材（特に縦板）が運搬において大きなスペースを必要とすることとなり、運搬コストの観点から望ましくないと考えられる。また、大型かつ１枚物である縦板が部材として使用されることによって、収納装置の組み立てにおいて大きな労力が必要となり、比較的非力な者では一人での組み立てに困難が生じることが考えられる。組み立て作業中に事故が発生するおそれもあり、安全性の観点からも好ましくないと考えられる。
【０００５】
本考案はかかる問題点に鑑みて、部材の夫々を比較的小さく抑えることが可能で、運搬コストの観点から有利であり、一人でも組み立てが容易で比較的大型に形成可能な組立式の収納棚を提供することを目的とする。
【課題を解決するための手段】
【０００６】
本考案の収納棚は、複数の縦板及び複数の横板を備え、第１部及び前記第１部に組み合わせる第２部を有する収納棚であって、前記第１部を構成する複数の縦板の夫々と前記第２部を構成する複数の縦板の夫々とは、前記複数の横板のうちの１つである１枚の接続板及び該接続板に設けられた穴に挿通される接続部材を介して連結されている。
【０００７】
また、前記穴は前記接続板を貫通しており、前記穴に挿通される前記接続部材の一方の端部は前記第１部を構成する前記縦板と接続し、前記接続部材の他方の端部は前記第２部を構成する前記縦板と接続していることが好ましい。
【０００８】
前記第２部は、前記接続板に取り付けられる背板を備えていることが好ましい。
【０００９】
前記収納棚の高さが１８００ｍｍ以上であって、前記複数の縦板の夫々における前記高さの方向に対応する長さが１８００ｍｍ未満であり、かつ、前記複数の縦板の夫々における長さ、幅、及び厚さの合計は２６００ｍｍ未満であることが望ましい。
【考案の効果】
【００１０】
本考案の収納棚によれば、収納棚を構成する部材の夫々は比較的小型に抑制され、運搬の際のスペースの効率的な利用が可能となり得る。また、一人でも少ない労力で安全に組み立てることが可能で、頑丈な収納棚が提供され得る。
【図面の簡単な説明】
【００１１】
【図１】本考案の収納棚の一例を示す概略斜視図である。
【図２】図１の収納棚の第１部と第２部とを分離した状態の概略斜視図である。
【図３】本考案の収納棚の第１部と第２部との組み合わせにおける接続構造の一例を示す分解図である。
【図４】本考案の収納棚の第１部と第２部との組み合わせにおける接続構造の他の例を示す分解図である。
【図５】本考案の収納棚の第１部と第２部との組み合わせにおける接続構造のさらに他の例を示す分解図である。
【図６】本考案の収納棚の背板の配置の一例を示す正面図である。
【図７】図４に示される接続構造にさらに背板を接続する例を示す分解図である。
【考案を実施するための形態】
【００１２】
以下、図面を参照しながら本考案の収納棚を説明する。参照される図面においては、各構成要素の正確な比率を示すことは意図されておらず、本考案の特徴が理解され易いように描かれている。なお、以下の実施形態はあくまで一例であり、本考案の収納棚は以下の実施形態に限定されるものではない。
【００１３】
図１は、本考案の実施形態の収納棚の一例である収納棚１００を示す概略斜視図である。図２は、図１に示される収納棚１００の、図面における下側を構成する部分（第１部１１０）と、上側を構成する部分（第２部１２０）とを分離した状態を示す概略斜視図である。
【００１４】
図１に示されるように、本実施形態の収納棚１００は、横方向（Ｘ方向、幅Ｗの方向）に並設される複数の縦板１０１と、縦方向（Ｚ方向、高さＨの方向）に並設される複数の横板１０２とを備えている。収納棚１００は複数の縦板１０１及び複数の横板１０２を部材として組み立てることで形成される組立式の収納装置である。収納棚１００は、例えば、その背面側（Ｙ方向、奥行Ｄの方向における奥側）が屋内の壁面に接するように配置されて壁面収納用の棚として利用され得る。
【００１５】
なお、ここで「収納」との語は、収納棚１００の使用目的を限定するものではなく、載置、陳列、及び保管などの、横板１０２上へ物品を配置することを含む広い意味として使用される。従って、ここで「収納棚」は、横板１０２上に物品を配置することが可能な、複数の縦板１０１及び複数の横板１０２によって構成される多段状の棚を意味している。また、「縦板」及び「横板」の語は、縦板１０１及び横板１０２の板面が、厳密に鉛直方向（Ｘ方向）及び水平方向（Ｙ方向）に延在するものであることを意味せず、板面が鉛直方向及び水平方向に対して任意の角度を有して延在するものも、縦板１０１及び横板１０２に含まれ得る。
【００１６】
図１に示される例においては、縦板１０１と横板１０２とによって仕切られる収納空間が縦方向に７段、横方向に５列形成されているが、収納棚１００が有する収納空間の数及び配置は図示のものに限定されない。例えば、縦方向に５段、横方向に３列の計１５の収納空間が形成されてもよい。収納空間の数、形状、寸法は、縦板１０１及び横板１０２の組み合わせによって任意に設計され得る。なお、図１の収納棚１００においては天板が設けられていないが、収納棚１００には天板が設けられていてもよい。
【００１７】
縦板１０１及び横板１０２などの収納棚１００を構成する部材には、主に木材が使用され得る。例えば、縦板１０１及び横板１０２には、合板に塗装を施した化粧板が使用され得る。無垢材が使用されてもよく、樹脂板又は金属板なども用いられ得る。
【００１８】
図示される収納棚１００は、例えば、高さＨが２４００ｍｍ、幅Ｗが１７１５ｍｍ、奥行Ｄが２５０ｍｍの寸法を有している。このような、一般的な人物の身長よりも高さＨが大きい比較的大型の収納棚１００を、１枚物の縦板（この場合２４００ｍｍの長さを有する縦板）を部材の１つとして組み立てようとする場合には、先述のように、部材の寸法が大きいことで組み立てに大きな労力を必要とし、安全性に懸念が生じる。また、例えば幅の狭い運搬経路における曲がり部で運搬に困難が生じるおそれもあり、運搬経路が制限されるなど、運搬コストの観点からも好ましくない。
【００１９】
本実施形態では、かかる問題に鑑みて、以下に詳しく述べるように、比較的大型である収納棚１００を、比較的小さい部材の組み合わせによって複合的に構成するようにしている。具体的には、図１に示されるように、縦方向における下側の部分を構成する第１部１１０と、縦方向における上側の部分を構成する第２部１２０との組み合わせ（連結）によって収納棚１００が構成されている。
【００２０】
第１部１１０は、収納棚１００を構成する複数の横板１０２のうちの１つである１枚の接続板１３０を介して、第２部１２０と組み合わせられている。図２の分解図は、この組み合わせの接続構造を、第１部１１０と第２部１２０とが分離した状態で概略的に示している。第１部１１０と第２部１２０との組み合わせは、第２部１２０側において接続板１３０に取り付けられた接続部材１３１が、第２部１２０を構成する複数の縦板１０１と接続されることで実現されている。図示されていない接続板１３０の第１部１１０側でも、接続部材１３１が第１部１１０を構成する複数の縦板１０１と接続されている。すなわち、第１部１１０を構成する複数の縦板１０１の夫々は、第２部１２０を構成する複数の縦板１０１の夫々と、接続板１３０を介して、接続部材１３１によって連結されている。
【００２１】
図２に示される例において、第１部１１０を構成する複数の縦板１０１は、第２部１２０に近い側の端部において、１枚の接続板１３０で一体的に接続されることで固定されている。この際、詳しくは後述するように、第１部１１０の縦板１０１と接続板１３０とは、接続板１３０に形成される穴に挿通される接続部材１３１における一方の端部が、第１部１１０の縦板１０１に形成される穴に埋め込まれて接続することで固定されている。接続板１３０の第２部１２０側では、接続板１３０から第２部１２０側に突出する接続部材１３１の端部が第２部１２０の縦板１０１に形成される穴に埋め込まれることで接続される。接続部材１３１としては、例えば、木製のダボが使用され、第１部１１０の縦板１０１、接続板１３０、及び第２部１２０の縦板１０１は、いわゆるダボ継ぎによって連結される。
【００２２】
上述のように、一般的な人物の身長よりも大きい寸法の高さＨ（例えば１８００ｍｍ以上）を有する収納棚１００において、第１部１１０と第２部１２０とを別々のユニットとして組み合わせる構成とすることにより、収納棚１００を構成する個々の部材（特に、縦板１０１）の夫々の寸法を小さく抑えることが可能となる。例えば、上述のように、収納棚１００の高さＨが２４００ｍｍである場合、第１部１０１の高さＨ１を１７２０ｍｍとし、第２部１２０の高さＨ２を６６５ｍｍとすることができる。これにより、本実施形態においては１枚の縦板１０１の高さＨの方向に対応する最大の長さは、１７２０ｍｍに抑えられる。なお、この場合において、縦板１０１及び横板１０２は１５ｍｍの厚さを有している。
【００２３】
本実施形態は、接続板１３０を介して第１部１１０と第２部１２０とを組み合わせる構成としているので、第１部１１０の複数の縦板１０１の夫々と第２部１２０の複数の縦板１０１の夫々とを直接連結して延長させることで第１部１１０と第２部１２０との組み合わせを実現する場合と比較すると、複数の縦板１０１の端部を接続板１３０で固定し安定化させているので、第１部１１０と第２部１２０とを安定的に組み合わせることが可能である。従って、各部材が正確に組み合わせられ、歪みなどの不良が少ない収納棚１００を得ることができる。
【００２４】
収納棚１００を構成する部材である縦板１０１及び横板１０２の夫々は、長さ、幅、及び厚さのいずれかの最大寸法が１８００ｍｍ以下であることが好ましく、かつ、長さ、幅、及び厚さの寸法の合計が２６００ｍｍ以下であることが、運搬の簡便性を高め運搬コストを抑制する観点から好ましい。
【００２５】
次いで、第１部１１０と第２部１２０との組み合わせにおける接続構造について、図面を参照してさらに詳しく説明される。図３には、第１部１１０と第２部１２０との組み合わせの部分的な接続構造の分解図が示されている。図３に示されるように、第１部１１０と第２部１２０との接続構造は、第１部１１０を構成する縦板１０１、第２部１２０を構成する縦板１０１、第１部１１０と第２部１２０との間に配置される接続板１３０、及び接続部材１３１、により構成されている。
【００２６】
接続板１３０には、接続部材１３１が挿通される穴１３１ｈが貫通穴として形成されている。第１部１１０の縦板１０１及び第２部１２０の縦板１０１の、貫通穴１３１ｈに対応する位置には、接続部材１３１の端部が挿入される穴１０１ｈが形成されている。接続部材１３１は、接続板１３０に形成されている貫通穴１３１ｈに挿通され、接続部材１３１の貫通穴１３１ｈから突出する一方の端部は第１部１１０の縦板１０１の穴１０１ｈに入り込み、他方の端部は第２部１２０の縦板１０１の穴１０１ｈに入り込み、第１部１１０の縦板１０１、接続板１３０、及び第２部１２０の縦板１０１を連結させる。この連結には、連結の強度を補強させるために接着剤が使用されてもよい。
【００２７】
図示の例では、１つの接続部分（第１部１１０の複数の縦板１０１のうちの１枚と、第２部１２０の複数の縦板１０１のうちの１枚とが連結される部分）において、配置された２本の接続部材１３１によって連結が実現されている。この接続部材１３１の１つの接続部分に使用される数は、特に限定されないが、強度の観点から２本以上であることが好ましい。縦板１０１及び接続板１３０の厚さが１５ｍｍである場合には、接続部材１３１として使用される木ダボは、例えば、直径８ｍｍ、長さ４０ｍｍのものが使用され、１つの穴１０１ｈが１２．５ｍｍの深さを有するように形成される。使用される接続部材１３１の形状及び寸法は、接続板１３０及び縦板１０１の厚さに合わせて適切に変更され得る。
【００２８】
第１部１１０への第２部１２０の組み合わせの手順においては、先ず、縦板１０１及び横板１０２の組み立てが完了した第１部１１０が用意される。次に、第１部１１０の縦板１０１の第２部１２０側の端部に設けられている穴１０１ｈに、接続部材１３１の一方の端部が埋め込まれる。次いで、第１部１１０の縦板１０１から突出する接続部材１３１が貫通穴１３１ｈに入り込むように、第２部１２０側（図面における上側）から、接続板１３０が第１部１１０に取り付けられる。これにより、図２の下側の部分として示される、収納棚１００に第２部１２０が取り付ける前の状態が形成される。
【００２９】
この接続板１３０の第１部１１０に対する取り付けにより、第１部１１０の複数の縦板１０１の端部は構造的に一体化される。この一体化された構造により、縦板１０１にかかる応力は、一枚の縦板１０１に集中することなく複数の縦板１０１に分散され得る。すなわち、第１部１１０の第２部１２０側において、剛性が高く強固で安定した構造が得られる。
【００３０】
続いて、接続板１３０から第２部１２０側へ向かって突出する接続部材１３１の先端が、穴１０１ｈに入り込むように、第２部１２０を構成する縦板１０１が接続板１３０に取り付けられる。この、接続板１３０への、第２部１２０の縦板１０１の取り付けは、縦板１０１を一枚ずつ接続板１３０に取り付けることによって実現されてよい。この際、第１部１１０と接続板１３０とは固定されて強固な構造とされているので、第２部１２０の縦板１０１を第１部１１０の縦板１０１に直接連結する場合と比較すると、縦板１０１を取り付け易い。
【００３１】
第１部１１０と第２部１２０との組み合わせの手順は上述の順序に限定されない。接続板１３０への第２部１２０を構成する縦板１０１の取り付けは、第２部１２０の縦板１０１と横板１０２の組み立てが完了した後に、すなわち、図２の上側の部分に示される第２部１２０の状態に組み立てられた後に、第２部１２０を接続板１３０に取り付けることで、第１部１１０と第２部１２０との組み合わせを実現してもよい。
【００３２】
接続板１３０と第１部１１０の接続をさらに強固にして構造を安定化させるために、追加の接続部材により第１部１１０と接続板１３０とが接続されてもよい。図４には、接続板１３０と第１部１１０を構成する縦板１０１とが、接続部材１３１に加えて接続部材１３２でも接続される構造が示されている。接続部材１３２は、第１部１１０と第２部１２０との複数の接続部分のうち、任意の接続部分において、接続部材１３１による接続板１３０と第１部１１０との接続を補強している。
【００３３】
接続部材１３２としては、例えば金属製のジョイントコネクターボルトが使用される。接続板１３０には、接続部材１３２が挿通される貫通穴１３２ｈが形成され、第１部１１０の縦板１０１の貫通穴１３２ｈに対応する位置には、接続部材１３２の先端が埋め込まれる穴１０１ｊが形成されている。貫通穴１３２ｈには、ジョイントコネクターボルトの頭部が、接続板１３０の表面よりも外側に突出しないように、ザクリ穴状の陥没部が設けられている。接続部材１３２は貫通穴１３２ｈに挿入され、その先端は第１部１１０の縦板１０１に形成されている穴１０１ｊに入り込んで接続板１３０と第１部１１０の接続を補強する。
【００３４】
上述の接続構造においては、接続部材１３１が接続板１３０を貫通し、その両端が第１部１１０の縦板１０１と第２部１２０の縦板１０１に接続している。しかしながら、接続部材は接続板１３０を貫通せずに、第１部１１０側と第２部１２０側で別個の接続部材が用いられてもよい。図５には、第１部１１０側と第２部１２０側とで別々の接続部材により、接続板１３０と縦板１０１との接続が実現される例が示されている。
【００３５】
図５に示される例では、接続板１３０の１つの接続部分における第１部１１０側及び第２部１２０側には、夫々２つの穴１３３ｈが形成されている。第１部１１０の縦板１０１と接続板１３０との接続、及び、第２部１２０の縦板１０１と接続板１３０の接続は、この穴１３３ｈに挿入される接続部材１３３が縦板１０１の穴１０１ｈに埋め込まれるによって実現される。接続部材１３３は第１部１１０側に２カ所、第２部１２０側に２カ所の計４カ所で縦板１０１と接続している。第２部１２０側の２カ所は、第１部１１０側の２カ所の間に対応した位置に配置されている。しかし、接続部材１３３の数や位置関係は図示の例に限定されない。
【００３６】
収納棚１００の背面には、収納空間の一方を閉塞する背板が設けられ得る。図６には、収納棚１００の背面に背板１０３が取り付けられた状態が示されている。図示の例では、収納棚１００が有する複数の収納空間のうちの一部の背面に背板１０３が取り付けられ、３５ある収納空間のうち６つの収納空間に背板１０３が取り付けられている。背板１０３の取り付けられる位置は、図示の例に限定されず、背板１０３の数及び取り付け位置は任意に設計され得る。
【００３７】
背板１０３は、収納空間に配置される物品の落下防止の観点、美観の観点、及び、収納棚１００の剛性の向上の観点から設計される適切なパターンで配置される。特に、収納棚１００の剛性の向上の観点から、少なくとも接続板１３０の直上、すなわち第２部１２０の最も接続板１３０に近い収納空間の背面に、背板１０３が設けられていることが望ましい。
【００３８】
図７には、図４に示される接続構造において、さらに背板１０３が接続板１３０に接続される例が示されている。図示の例では、背板１０３は、接続板１３０に形成される貫通穴１３４ｈに第１部１１０側から挿通されて背板１０３に形成されている穴１０３ｈに入り込む接続部材１３４により、接続板１３０に固定される。接続部材１３４は、例えば、接続部材１３２と同様のジョイントコネクターボルトである。背板１０３は隣り合う縦板１０１と、任意の接続手段（ダボ継ぎ、ボルト止め、係合など）により固定され、第２部１２０の構造を剛性が高く強固なものにし得る。
【００３９】
第２部１２０の最も接続板１３０に近い収納空間の背面に背板１０３が設けられることにより、接続板１３０への第２部１２０の取り付けが容易になることがある。例えば、１枚の背板１０３と隣り合う２枚の縦板１０１とが任意の接続手段によってコの字型に組み立てられ、このコの字型のユニットを、接続板１３０に対して取り付ける手順を経ることで、接続板１３０へ縦板１０１のみを１枚ずつ取り付ける場合と比較して、より安定的な組み立て作業が実現される。
【００４０】
上述の図６及び図７では、収納棚１００が有する収納空間における一部に背板１０３が設けられる例が示されているが、必要に応じて、背板１０３は収納棚１００が有する全ての収納空間の背面に設けられてもよい。
【００４１】
実施形態の収納棚は、各図面に例示される構造や、本明細書において例示された構造や材料を備えるものに限定されない。収納棚１００は第１部１１０、第２部１２０に加えて、さらに組み合わせられる第３部を有していてもよい。第１部と第２部は水平方向に組み合わせられる構成とされ、縦板の一枚を接続板として介在させて組み合わせられてもよい。
【符号の説明】
【００４２】
１００                      収納棚
１０１                      縦板
１０１ｈ、１０１ｊ、１０３ｈ        穴
１０２                      横板
１０３                      背板
１１０                      第１部
１２０                      第２部
１３０                      接続板
１３１、１３２、１３３、１３４      接続部材
１３１ｈ、１３２ｈ、１３４ｈ        穴（貫通穴）
１３３ｈ            穴
Ｈ                  高さ
Ｈ１                第１部の高さ
Ｈ２                第２部の高さ
Ｗ                  幅
Ｄ                  奥行
【図１】
0003226130.tif 000003
【図２】
0003226130.tif 000004
【図３】
0003226130.tif 000005
【図４】
0003226130.tif 000006
【図５】
0003226130.tif 000007
【図６】
0003226130.tif 000008
【図７】
0003226130.tif 000009